(57)【要約】【課題】メンテナンスや交換が容易で、かつ、効率よく作動する木造建物の摩擦減震装置を提供する。【解決手段】木造建物の基礎および土台の間に介挿される重ね合わされた金属製の２枚の滑り平板から構成される摩擦減震装置は該基礎および該土台を緊結するアンカーボルトの立設箇所を除く位置で主に柱直下の位置に介挿されて、上段に位置し該土台に接触する第１の滑り平板および下段に位置し該基礎に接触する第２の滑り平板から構成され、該第１の滑り平板および該第２の滑り平板の中心部に位置して互いに密接する第１の円形滑り面および第２の円形滑り面は略同じ大きさの円形の平滑な面であり、該第１の滑り平板および該第２の滑り平板のうち少なくとも該第２の滑り平板は略無孔である、構成とした。【選択図】図１
2019039290.tif 000002
【特許請求の範囲】
【請求項１】
木造建物の基礎および土台の間に介挿される重ね合わされた金属製の２枚の滑り平板から構成される摩擦減震装置であって、
前記摩擦減震装置は前記基礎および前記土台を緊結するアンカーボルトの立設箇所を除く位置で主に柱直下の位置に介挿されて、上段に位置し該土台に接触する第１の滑り平板および下段に位置し該基礎に接触する第２の滑り平板から構成され、該第１の滑り平板および該第２の滑り平板の中心部に位置して互いに密接する第１の円形滑り面および第２の円形滑り面は略同じ大きさの円形の平滑な面であり、該第１の滑り平板および該第２の滑り平板のうち少なくとも該第２の滑り平板の中心部は略無孔である、ことを特徴とする木造建物の摩擦減震装置。
【請求項２】
前記第２の円形滑り面には該第２の円形滑り面と中心が同一で断面が略二等辺三角形または略等脚台形を呈する１つ以上のリング状のリング突条が凸設される一方、前記第１の円形滑り面には断面形状が下方向に広がる略等脚台形を呈し該リング突条を跨るように被包するリング状のリング被包溝が刻設され、
前記リング突条の前記第２の円形滑り面の中心からの距離は前記リング被包溝の前記第１の円形滑り面の中心からの距離と略同一であって、断面における該リング突条の斜辺は直線である一方、該リング被包溝の斜辺は略直線であり、該リング突条の斜辺の勾配は水平方向に対して略３％ないし６％であって、該リング被包溝の斜辺の勾配も略同一であるとともに、該リング突条の高さおよび該リング被包溝の深さは略同一である、ことを特徴とする請求項１に記載の木造建物の摩擦減震装置。
【請求項３】
前記第２の円形滑り面の中心部には円柱状で有蓋の円柱突起が凸設され、前記第１の円形滑り面の該円柱突起に対応する位置には該円柱突起を所定の遊び量で遊嵌し前記第１の滑り平板の前記第２の滑り平板に対する移動を許容する円形の窪みが刻設されている、ことを特徴とする請求項１または請求項２に記載の木造建物の摩擦減震装置。
【請求項４】
前記第１の滑り平板は下部に位置する平板部およびその上部にあって厚さを調整する厚さ調整部から形成され、
前記厚さ調整部は円柱形状であり、外周面が前記第２の円形滑り面の外周縁に略一致する外周壁と、中心部に形成される内周壁と、該外周壁および該内周壁間を連結する複数の連結壁からなり、該内周壁内の上端部は平板状の平板蓋で覆設されて閉ざされた空間が形成され、該外周壁の上端部および該平板蓋の表面は同一レベルであり、
前記平板部の裏面に前記第１の円形滑り面が形成されている、ことを特徴とする請求項１または請求項２に記載の木造建物の摩擦減震装置。
【請求項５】
前記外周壁、前記内周壁および前記連結壁で区画された各々の空間の前記平板部には前記リング被包溝に開口する第１の水抜き孔が貫設されている、ことを特徴とする請求項２に従属する請求項４に記載の木造建物の摩擦減震装置。
【請求項６】
前記第２の円形滑り面の中心部には円柱状で有蓋の円柱突起が凸設され、該円柱突起を所定の遊び量で遊嵌する円形の窪みは前記平板部を貫通して前記厚さ調整部の中心部に形成される内周壁で形成されて前記第１の滑り平板の前記第２の滑り平板に対する移動を許容し、前記連絡壁は前記外周壁および該内周壁を連結する、ことを特徴とする請求項４または請求項５に記載の木造建物の摩擦減震装置。
【請求項７】
前記所定の遊び量は前記リング被包溝の断面形状である等脚台形の上辺の幅の１／２以上の６ｍｍないし８ｍｍである、ことを特徴とする請求項３または請求項６に記載の木造建物の摩擦減震装置。
【請求項８】
前記第２の円形滑り面の中心部または前記円柱突起に近接した円形滑り面には第２の水抜き孔が貫設されている、ことを特徴とする請求項１ないし請求項７のいずれかに記載の木造建物の摩擦減震装置。
【請求項９】
前記第２の水抜き孔は上部が拡径した擂り鉢状で下部が細径である、ことを特徴とする請求項８に記載の木造建物の摩擦減震装置。
【請求項１０】
前記第１の滑り平板の前記土台に接する表面には先端が尖った複数の表面突起が突設され、前記第２の滑り平板の前記基礎に接する表面には先端が略平坦で凹凸のある粗面の複数の表面突起が突設されている、ことを特徴とする請求項１ないし請求項９のいずれかに記載の木造建物の摩擦減震装置。
【発明の詳細な説明】
【技術分野】
【０００１】
本発明は、木造建物の基礎と土台との間に介挿される金属板材を主要素とする薄型の摩擦減震装置に関する。
【背景技術】
【０００２】
木造建物に適用される免震技術として、金属製の平板間の摩擦力を利用した減震装置が提案されていて、例えば、特開２０１５−２２４４８８号公報や特開２０１６−１６６５１８号公報に関示されている。なお、これらの公開公報に関示の技術は、いずれも本願出願人によるものである。
【０００３】
特許文献１に開示の技術は、「床下空間が換気型や密閉型等の木造住宅に対応でき、簡単な構造を有し低コストで施工性にも優れ、中規模や大規模地震に有効に機能する摩擦減震装置を提供する」ことを課題としていて、その解決手段を「土台に接触する円盤状の第１の滑り平板と、基礎に接触する円盤状の第２の滑り平板と、該第１の滑り平板および該第２の滑り平板に介挿される円盤状の第３の滑り平板とからなり、前記第１の滑り平板および前記第２の滑り平板の厚さは略同一であり、前記第３の滑り平板はそれより厚く形成され、その中心部にはアンカーボルトが遊貫する挿通孔が貫設され、該第１の滑り平板の直径は前記土台の幅と略同一であって該第２の滑り平板や該第３の滑り平板よりも大きく形成されるとともに、該第１の滑り平板の挿通孔の直径、該第３の滑り平板の挿通孔の直径および該第２の滑り平板の挿通孔の直径はこの順に小さくなるように形成され、重ね合わせ面は平滑で均等に接触する構成」としている。
【０００４】
また、特許文献２に開示の技術は、「簡単な構造で施工性に優れ、中規模や大規模地震に有効に機能する摩擦減震装置であって、滑り面が１つであっても２つの場合と同様の減震効果を得ることができる摩擦減震装置を提供する」ことを課題としていて、その解決手段を「土台または基礎に接触する円盤状の第１の滑り平板と、基礎または杭頭に接触する円盤状の第２の滑り平板とからなり、前記第２の滑り平板の表面には略等脚台形を呈する１つ以上のリング状のリング突条が凸設される一方、該第１の滑り平板の底面には断面が下方向に広がる略等脚台形を呈し該リング突条に対置して該リング突条を跨るように被包する略等脚台形でリング状のリング被包溝が刻設され、前記第１の滑り平板はその厚さを調整する嵩上げ部を有する」構成としている。
【０００５】
【特許文献１】特開２０１５−２２４４８８号公報
【特許文献２】特開２０１６−１６６５１８号公報
【発明の概要】
【発明が解決しようとする課題】
【０００６】
ところで、多種多様な作業が同時に進行する建築現場では、摩擦減震装置の取り付けに際して、作業員が誤って上下を間違えるケースが想定される。この場合、例えば、躯体工事が終わり仕上げ工事に移行している段階のような工事が進行してからミス施工に気が付いたのでは、アンカーボルトに挿入した摩擦減震装置の上下を正しい位置に戻すことは容易でなく、かなりな労力を必要とし工期も延期せざるを得なくなり、コストの増大となる。また、近年施行された「長期優良住宅の普及の促進に関する法律」では、長期優良住宅の要件として維持管理・更新の容易性が必要とされている。
【０００７】
そこで、本願発明は、摩擦減震装置の上下を間違えて取り付け、工事が進行してから施工ミスに気が付いた場合であっても、その修正を容易に行うことができ、従来と変わりない性能を有し、新築の木造建物は勿論のこと既存の改築工事時にも設置可能な摩擦減震装置を提供することを目的とする。
【課題を解決するための手段】
【０００８】
上記目的を達成するため、本願請求項１に係る木造建物の摩擦減震装置は、木造建物の基礎および土台の間に介挿される重ね合わされた金属製の２枚の滑り平板から構成される摩擦減震装置であって、前記摩擦減震装置は前記基礎および前記土台を緊結するアンカーボルトの立設箇所を除く位置で主に柱直下の位置に介挿されて、上段に位置し該土台に接触する第１の滑り平板および下段に位置し該基礎に接触する第２の滑り平板から構成され、該第１の滑り平板および該第２の滑り平板の中心部に位置して互いに密接する第１の円形滑り面および第２の円形滑り面は略同じ大きさの円形の平滑な面であり、該第１の滑り平板および該第２の滑り平板のうち少なくとも該第２の滑り平板の中心部は略無孔である、ことを特徴としている。
また、本願請求項２に係る木造建物の摩擦減震装置は、請求項１に記載の木造建物の摩擦減震装置であって、前記第２の円形滑り面には該第２の円形滑り面と中心が同一で断面が略二等辺三角形または略等脚台形を呈する１つ以上のリング状のリング突条が凸設される一方、前記第１の円形滑り面には断面形状が下方向に広がる略等脚台形を呈し該リング突条を跨るように被包するリング状のリング被包溝が刻設され、前記リング突条の前記第２の円形滑り面の中心からの距離は前記リング被包溝の前記第１の円形滑り面の中心からの距離と略同一であって、断面における該リング突条の斜辺は直線である一方、該リング被包溝の斜辺は略直線であり、該リング突条の斜辺の勾配は水平方向に対して略３％ないし６％であって、該リング被包溝の斜辺の勾配も略同一であるとともに、該リング突条の高さおよび該リング被包溝の深さは略同一である、ことを特徴としている。
そして、本願請求項３係る木造建物の摩擦減震装置は、請求項１または請求項２に記載の木造建物の摩擦減震装置であって、前記第２の円形滑り面の中心部には円柱状で有蓋の円柱突起が凸設され、前記第１の円形滑り面の該円柱突起に対応する位置には該円柱突起を所定の遊び量で遊嵌し前記第１の滑り平板の前記第２の滑り平板に対する移動を許容する円形の窪みが刻設されている、ことを特徴としている。
なお、「円形の窪み」とは、第１の滑り平板および第２の滑り平板を重ね合わせたときに円柱突起がその内部に止まり第１の滑り平板の表面から突出することがない状態を意味していて、第１の滑り平板が薄板状である場合は「円形の孔」となる場合もある。また、「所定の遊び量」とは、円形の窪みの半径から円柱突起の半径を差し引いた値（量）を云う。
さらに、本願請求項４に係る木造建物の摩擦減震装置は、請求項１または請求項２に記載の木造建物の摩擦減震装置であって、前記第１の滑り平板は下部に位置する平板部およびその上部にあって厚さを調整する厚さ調整部から形成され、前記厚さ調整部は円柱形状であり、外周面が前記第２の円形滑り面の外周縁に略一致する外周壁と、中心部に形成される内周壁と、該外周壁および該内周壁間を連結する複数の連結壁からなり、該内周壁内の上端部は平板状の平板蓋で覆設されて閉ざされた空間が形成され、該外周壁の上端部および該平板蓋の表面は同一レベルであり、前記平板部の裏面に前記第１の円形滑り面が形成されている、ことを特徴としている。
また、本願請求項５に係る木造建物の摩擦減震装置は、請求項２に従属する請求項４に記載の木造建物の摩擦減震装置であって、前記外周壁、前記内周壁および前記連結壁で区画された各々の空間の前記平板部には前記リング被包溝に開口する第１の水抜き孔が貫設されている、ことを特徴としている。
そして、本願請求項６に係る木造建物の摩擦減震装置は、請求項４または請求項５に記載の木造建物の摩擦減震装置であって、前記第２の円形滑り面の中心部には円柱状で有蓋の円柱突起が凸設され、該円柱突起を所定の遊び量で遊嵌する円形の窪みは前記平板部を貫通して前記厚さ調整部の中心部に形成される内周壁で形成されて前記第１の滑り平板の前記第２の滑り平板に対する移動を許容し、前記連絡壁は前記外周壁および該内周壁を連結する、ことを特徴としている。
さらに、本願請求項７に係る木造建物の摩擦減震装置は、請求項３または請求項６に記載の木造建物の摩擦減震装置であって、前記所定の遊び量は前記リング被包溝の断面形状である等脚台形の上辺の幅の１／２以上の６ｍｍないし８ｍｍである、ことを特徴としている。
また、本願請求項８に係る木造建物の摩擦減震装置は、請求項１ないし請求項７のいずれかに記載の木造建物の摩擦減震装置であって、前記第２の円形滑り面の中心部または前記円柱突起に近接した円形滑り面には第２の水抜き孔が貫設されている、ことを特徴としている。
そして、本願請求項９に係る木造建物の摩擦減震装置は、請求項８に記載の木造建物の摩擦減震装置であって、前記第２の水抜き孔は上部が拡径した擂り鉢状で下部が細径である、ことを特徴としている。
さらに、本願請求項１０に係る木造建物の摩擦減震装置は、請求項１ないし請求項９のいずれかに記載の木造建物の摩擦減震装置であって、前記第１の滑り平板の前記土台に接する表面には先端が尖った複数の表面突起が突設され、前記第２の滑り平板の前記基礎に接する表面には先端が略平坦で凹凸のある粗面の複数の表面突起が突設されている、ことを特徴としている。
【発明の効果】
【０００９】
本願発明は以下の効果を奏する。
（１）摩擦減震装置がアンカーボルトの立設箇所を除いた位置に介挿されることから、仮に摩擦減震装置を取り付ける作業員が誤って上下を間違えた場合や後日、摩擦減震装置のメンテナンスや交換あるいは改築工事などによる摩擦減震装置の取り付けが必要となった場合であっても、数ｍｍ程度土台を持ち上げれば摩擦減震装置を取り出したり挿入したりすることができるので、その作業は容易である。また、主に柱直下の位置に摩擦減震装置を介挿することで、木造建物の荷重は殆どすべて直接的に摩擦減震装置に作用することになり、土台に曲げが生じないし、力学的に合理的な位置に配することになることから、アンカーボルトに挿設するよりも実質的に設置箇所数を減らすことができる。なお、「主に柱直下の位置」としたのは、柱間隔が広く納戸や書斎等のような大きな積載荷重が作用する柱直下以外の箇所にも摩擦減震装置を設置して、土台に作用する曲げを軽減させる場合を想定しているからである。
（２）第１の滑り平板および第２の滑り平板のうち少なくとも第２の滑り平板の中心部を略無孔とすることにより、基礎の表面の水分や汚れ成分が円形滑り面に入り込むことを防止できるため、円形滑り面同士の摩擦力の低下を防ぐとともに円形滑り面の損傷を防ぐことができる。また、円形滑り面同士の中心部の接触面積が増加することにより、後述するリング被包溝の溝幅を大きくすることができる。なお、「略無孔」とは、平板間の摩擦力に殆ど影響を及ぼさない直径が数ｍｍ程度の貫通孔は許容することを意味している。
（３）第２の円形滑り面に略二等辺三角形または略等脚台形の断面形状のリング突条が凸設され、そのリング突条を被包するリング被包溝が第１の円形滑り面に刻設されているため、地震時にはまず、第１の滑り平板と第２の滑り平板の滑り面相互で滑りが生じ、その後にリング突条およびリング被包溝の斜面（断面における斜辺）同士が接触してリング突条にリング被包溝が乗り上がるようになる。すなわち、リング突条およびリング被包溝の斜面同士が接触した後は第１の滑り平板は第２の滑り平板に対して持ち上がった状態となり、柱直下の荷重による摩擦力が増大する。また、リング突条の斜辺の勾配はリング被包溝の斜辺の勾配と略同一であるため、斜面同士は面接触することになってお互いに傷つけることがない。
（４）円形の窪みが円柱突起を所定の遊び量で遊嵌している場合は、地震時に第２の滑り平板に対する第１の滑り平板のズレを許容して滑り平板相互の損壊を防止するとともに、主に施工時において第２の滑り平板から第１の滑り平板が外れることを防止する。
（５）第１の滑り平板が厚さ調整部を有する場合には、厚さ調整部の高さを調整することで、略５．５ｍｍないし２０ｍｍの高さの摩擦減震装置が提供できるため、床下空間が密閉型や換気型等のあらゆる木造住宅に適用できる。また、厚さ調整部の上部には平板蓋を有しているので、有していない場合と比べると、第１の滑り平板の剛性が増して、第１の滑り平板に作用する剪断力に対抗することができるとともに、木製の土台との接触面積が増えて沈み応力の小さな木材には有利に働くことになる。
（６）外周壁、内周壁および連結壁で区画された各々の空間の平板部にリング被包溝に開口する第１の水抜き孔を貫設することにより、各々の空間内に溜まった結露水等が排出され易くなる。
（７）円形の窪みに対する円柱突起の移動を許容する遊び量をリング被包溝の断面形状である等脚台形の上辺の幅の１／２以上の値とすることにより、リング突条およびリング被包溝の斜面同士が接触する前に、円形の窪みの壁面に円柱突起が衝突することがなくなるため、前述した（３）の効果を有効に奏することができる。
（８）第２の円形滑り面の中心部または円柱突起に近接した円形滑り面に上部が拡径した擂り鉢状で下部が細径である第２の水抜き孔を貫設することにより、第２の滑り平板の表面や裏面にある微量の結露水等を擂り鉢内に溜めることができるため、湿気等を排除することができる。
（９）第１の滑り平板の土台に接する表面に先端が尖った複数の表面突起を突設し、第２の滑り平板の基礎に接する表面には先端が略平坦で凹凸のある粗面の複数の表面突起を突設していることにより、土台側では、第１の滑り平板の表面と土台が密着して土台自体の損傷を防ぎ、基礎側では、凹凸のある部分のみが基礎に食い込む結果、第２の滑り平板の表面と基礎面との間の滑りを防止することができるとともに、第２の滑り平板と基礎との間にできた間隙により湿気を防止することができる。
【図面の簡単な説明】
【００１０】
【図１】図１は実施例に係る木造建物の摩擦減震装置を示す基礎・土台の部分側面図である。
【図２】図２は図１におけるII部分拡大図（実施例１に係る摩擦減震装置の側面図）である。
【図３】図３は実施例１に係る摩擦減震装置の縦断面部分拡大図である。
【図４】図４は実施例２に係る摩擦減震装置の縦断面部分拡大図である。
【図５】図５は実施例３に係る摩擦減震装置の縦断面部分拡大図である。
【図６】図６は実施例４に係る摩擦減震装置の縦断面部分拡大図である。
【発明を実施するための形態】
【００１１】
本発明を実施するための形態に係る実施例について、図１ないし図６を参照して説明する。なお、図１ないし図６において、符号１は実施例１に係る摩擦減震装置、符号２は実施例２に係る摩擦減震装置、符号３は実施例３に係る摩擦減震装置、符号４は実施例４に係る摩擦減震装置、符号１０は第１の滑り平板、符号１１は第１の円形滑り面、符号１２は円形の窪み、符号１３はリング被包溝、符号１４は厚さ調整部、符号１４１は外周壁、符号１４２は連絡壁、符号１４３は内周壁、符号１４４は平板蓋、符号１５は平板部、符号２０は第２の滑り平板、符号２１は第２の円形滑り面、符号２２は円柱突起、符号２３は第１の水抜き孔、符号２４は第２の水抜き孔、符号２５はリング突条、符号３１は横断溝、符号３２は表面突起、符号３３はリングゴム、符号５１は土台、符号５２は基礎、符号５３は柱、符号５４は間柱、符号５５はアンカーボルト、である。また、図１については、部分側面図および部分断面図を１つの図面で表していて、図面の中央部分が断面図を表し、その両側が側面図を表している。なお、図３ないし図６において、中央部の一点鎖線はそれぞれの摩擦減震装置の中心線（Ｃ．Ｌ）である。
【実施例１】
【００１２】
まず、実施例１に係る摩擦減震装置１について説明する。
図１ないし図３に示すように、摩擦減震装置１は、上段に位置し土台５１に接する第１の滑り平板１０と、下段に位置し基礎５２に接する第２の滑り平板２０と、から構成されている。
【００１３】
第１の滑り平板１０は円盤状の平板であって、その厚さは略３ｍｍで直径が９０ｍｍφの円盤状を呈している。そして、第１の滑り平板１０の裏面には第１の滑り平板１０と中心部が一致し、後述する円盤状の第２の滑り平板２０と略同一径の７５ｍｍφの平滑な面となっている第１の円形滑り面１１が形成されている。さらに、第１の円形滑り面１１は貫通孔が貫設されない無孔の平滑な面であるが、第１の円形滑り面１１と中心を同じくする位置に１つ以上のリング被包溝１３が刻設されていて、その形状は下方向に広がる略等脚台形であり、上辺の長さが１２．０ｍｍ、下辺の長さが１６．０ｍｍ、高さ（溝の深さ）が０．２ｍｍ、となっている。さらに、第１の滑り平板１０の表面である土台５１側には先端が尖った複数の表面突起３２が突設されている。また、第１の滑り平板１０の表面には２本の平行な横断溝３１が刻設され、この横断溝３１の両端部は後述する第２の滑り平板２０と中心を一致させて重ね合わせたときに第２の滑り平板２０の外周縁まで達するスリットが形成されている。なお、第１の滑り平板１０は円盤状である必要はなく、第１の円形滑り面１１が形成できる形状であれば矩形や多角形であっても構わない。
【００１４】
第２の滑り平板２０もまた、円盤状の平板であって、その厚さは略３ｍｍとなっている。そして、第２の滑り平板２０の表面（第１の滑り平板１０側）は平滑で貫通孔が貫設されない略無孔の面である第２の円形滑り面２１が形成されていて、その表面には第２の円形滑り面２１と中心を同じくし、前述したリング被包溝１３に対応する位置にリング状のリング突条２５が凸設されていて、その断面形状は下方向に広がる二等辺三角形あるいは等脚台形であって、等脚台形の場合には上辺の長さが１．０ｍｍ、下辺の長さが１１．０ｍｍ、高さが０．２ｍｍ、となっている。また、摩擦減震装置１ではその中心部に上部が拡径した擂り鉢状で下部が細径の略１ｍｍφの第２の水抜き孔２４が貫設されている。さらに、第２の滑り平板２０の基礎５２側には先端が略平坦で凹凸のある粗面の複数の表面突起３２が突設されているとともに、第１の滑り平板１０と重ね合わせたときに第１の滑り平板１０の表面に刻設された横断溝３１と対応する位置に２本の横断溝３１が刻設されていて、リング状のリングゴム３３を第１の滑り平板１０および第２の滑り平板２０のそれぞれの横断溝３１に嵌入して巻回させている。
【００１５】
摩擦減震装置１は、主に柱５３の真下の位置に介挿されているため、摩擦減震装置１をセットした後には、木造建物の荷重により第１の滑り平板１０の表面に突設されている先端が尖った複数の表面突起３２が土台５１に食い込むとともに第１の滑り平板１０の表面が土台５１に密着し、第２の滑り平板２０の表面に突設されている先端が略平坦で凹凸のある粗面の複数の表面突起３２が基礎５２の表面との間の滑りやズレを防止することにより、確実に土台５１および基礎５２の動きに合わせて第１の滑り平板１０および第２の滑り平板２０がそれぞれ独立して追随し、土台５１および基礎５２のズレが第１の滑り平板１０および第２の滑り平板２０のズレとなる。
【００１６】
また、摩擦減震装置１はアンカーボルト５５に挿入されていないため、木造建物が完成した後であってもジャッキで土台５１と基礎５２の隙間を僅かに押し広げるだけでその交換を行うことができる。一方、アンカーボルト５５に摩擦減震装置を挿入する従来の場合にあっては、基礎５２から突出するアンカーボルト５５の突出長さプラス摩擦減震装置の厚さ分に相当する距離をジャッキアップしなければならず、その作業は容易ではない。
【００１７】
また、摩擦減震装置１の第１の円形滑り面１１および第２の円形滑り面２１は略無孔の面となっていて、第２の水抜き孔２４も基礎５２側では直径が１ｍｍφの細径であることから、基礎５２の表面の水分や汚れ成分を第２の水抜き孔２４の擂り鉢内に留めて第１円形滑り面１１および第２の円形滑り面２１内に入り込むことを防止できるため、円形滑り面同士の摩擦力の低下を防ぐとともに円形滑り面の損傷を防ぐことができる。
【００１８】
ここで、摩擦減震装置１を取り付けた木造建物に地震等による横荷重が作用した場合の作用を説明する。
（１）木造建物に地震等による横荷重が作用すると、基礎５２に対して土台５１がズレようとするが、このズレようとする力は摩擦減震装置１の第１の滑り平板１０および第２の滑り平板２０のズレとなって現れる。
（２）その結果、地震エネルギーは第１の滑り平板１０および第２の滑り平板２０間のズレによる摩擦抵抗で減衰される。そして、相対的なズレが所定の値を超えるとリング被包溝１３およびリング突条２５の斜面が接触し、さらに、移動量が増すと第１の滑り平板１０が第２の滑り平板２０に乗り上げる。このため、第１の滑り平板１０に作用する上からの荷重が大きくなって摩擦力が増大し、地震エネルギーの減衰効果をさらに高めることとなる。
【実施例２】
【００１９】
つぎに、実施例２に係る木造建物の摩擦減震装置２について説明する。
図４に示すように、摩擦減震装置２は、上段に位置し土台５１に接する第１の滑り平板１０と、下段に位置し基礎５２に接する第２の滑り平板２０と、から構成されている。
【００２０】
第１の滑り平板１０は円盤状の平板であって、その厚さは略３ｍｍで直径が９０ｍｍφの円盤状を呈している。そして、第１の滑り平板１０の裏面は後述する円盤状の第２の滑り平板２０と略同一径の７５ｍｍφの平滑な面となっていて、第１の円形滑り面１１が形成されている。さらに、第１の円形滑り面１１には第１の滑り平板１０を貫通する径が２３ｍｍφの円形の窪み１２が貫設されているが、第１の滑り平板１０に厚みがあれば有底の円形の窪み１２となる。さらに、第１の滑り平板１０の表面である土台５１側には先端が尖った複数の表面突起３２が突設されている。また、第１の滑り平板１０の表面には２本の平行な横断溝３１が刻設されていて、その形状は実施例１の第１の滑り平板１０と同様である。なお、第１の滑り平板１０もまた、摩擦減震装置１と同様に、円盤状である必要はなく、第１の円形滑り面１１よりも大きな形状であれば矩形や多角形であっても構わない。
【００２１】
第２の滑り平板２０もまた、円盤状の平板であって、その厚さは略３ｍｍとなっている。そして、第２の滑り平板２０の表面（第１の滑り平板１０側）は平滑な面となっていて、その中心部には短い円柱状の円柱突起２２が凸設されていて、前述した円形の窪み１２に遊嵌するようになっている。この円柱突起２２の直径は９ｍｍφであり、２３ｍｍφの円形の窪み１２に嵌合すると円柱突起２２の周りは７ｍｍの間隙が生ずることになり、この間隙が所定の遊び量に相当する。また、第１の滑り平板１０および第２の滑り平板２０を重ね合わせたときには円柱突起２２の先端は第１の滑り平板１０の表面のレベル以下となる。また、摩擦減震装置２では円形の窪み１２に近接して上部が拡径した擂り鉢状で下部が細径の略１ｍｍφの第２の水抜き孔２４が貫設されている。さらに、第２の滑り平板２０の表面（基礎５２側）には先端が略平坦で凹凸のある粗面の表面突起３２が突設されているとともに、第１の滑り平板１０と重ね合わせたときに第１の滑り平板１０の表面に刻設された横断溝３１と対応する位置に２本の横断溝３１が刻設されていて、リング状のリングゴム３３を第１の滑り平板１０および第２の滑り平板２０のそれぞれの横断溝３１に嵌入して巻回させている。
【００２２】
前述したように、摩擦減震装置２もまた、主に柱５３の真下の位置に介挿されているため、摩擦減震装置２をセットした後には、木造建物の荷重により第１の滑り平板１０の表面に突設されている先端が尖った複数の表面突起３２および第２の滑り平板２０の表面に突設されている複数の表面突起３２が土台５１および基礎５２に食い込むことにより、確実に土台５１および基礎５２の動きに合わせてそれぞれが第１の滑り平板１０および第２の滑り平板２０が独立して追随し、土台５１および基礎５２のズレが第１の滑り平板１０および第２の滑り平板２０のズレとなって現れる。なお、摩擦減震装置２ではリング被包溝１３およびリング突条２５を具えていないが、具えることも可能であることは勿論である。
【００２３】
ここで、摩擦減震装置２の作用について説明する。
摩擦減震装置２の作用は概ね以下の通りである。
（１）木造建物に地震等による横荷重が作用すると、基礎５２に対して土台５１がズレようとするが、このズレは摩擦減震装置２の第１の滑り平板１０および第２の滑り平板２０のズレとなって現れる。
（２）その結果、地震エネルギーは第１の滑り平板１０および第２の滑り平板２０間のズレによる摩擦抵抗で減衰されることになる。摩擦減震装置２では円形の窪み１２が円柱突起２２を所定の遊び量７ｍｍで遊嵌していて、出願人の知見では、８００ｇａｌ〜１，０００ｇａｌの地震動に対しては円形の窪み１２に対する円柱突起２２のズレは６ｍｍ程度以下となるため、遊び量が７ｍｍであれば、十分に実用に耐えることができる。
【実施例３】
【００２４】
つぎに、実施例３に係る摩擦減震装置３について、主に図５を基に説明する。
図５に示すように、摩擦減震装置３は、上段に位置し土台５１に接する第１の滑り平板１０と、下段に位置し基礎５２に接する第２の滑り平板２０と、から構成されている。そして、第１の滑り平板１０は上部の高さ調整部１４と下部の平板部１５が合体した形状となっていて、高さ調整部１４は外周部分に形成される円筒状の外周壁１４１と、第１の滑り平板１０の中心部に形成される内周壁１４３と、外周壁１４１および内周壁１４３間を連結する複数の連結壁１４２と、内周壁１４３で囲繞された上部を覆設する平板状の平板蓋１４４と、から形成されていて、内周壁１４３および平板蓋１４４により閉空間となる円形の窪み１２が形成されている。また、摩擦減震装置１と同様に第１の滑り平板１０の表面（外周壁１４１や連結壁１４２の上部）には２本の横断溝３１が刻設されているとともに、先端が尖った複数の突起３２が突設されている。そして、円形の窪み１２部分を除く第１の滑り平板１０の平板部１５の裏面（第２の滑り平板２０側）は７５ｍｍφの無孔の平滑な面である第１の円形滑り面１１が形成されていて、この第１の円形滑り面１１には１つ以上のリング被包溝１３が刻設されている。さらに、内周壁１４３、外周壁１４１および連結壁１４２で区画された各々の空間の平板部１５にはリング被包溝１３の中心位置よりも外側に開口する第１の水抜き孔２３が貫設されている。実施例のように、第１の水抜き孔２３を被包溝リング被包溝１３の中心位置よりも外側に貫設することにより、各々の空間内に溜まった結露水等がリング突条１３の外側に排出されることになるので蒸発しやすくなる。なお、形状寸法については、摩擦減震装置１と同一であるが、第１の水抜き孔２３の直径は２ｍｍφとなっている。
【００２５】
第２の滑り平板２０については、摩擦減震装置１の第２の滑り平板２０と全く同様の構成であるので、その説明を省略する。さらに、摩擦減震装置３については摩擦減震装置１と厚さが異なるのみで作用や効果も略同様であるので、その説明を省略する。
【実施例４】
【００２６】
つぎに、実施例４に係る摩擦減震装置４について、主に図６を基に説明する。
図６に示すように、摩擦減震装置４は、上段に位置し土台５１に接する第１の滑り平板１０と、下段に位置し基礎５２に接する第２の滑り平板２０と、から構成されている。そして、第１の滑り平板１０は上部の円柱状の高さ調整部１４と下部の平板部１５が合体した形状となっていて、高さ調整部１４の外周部分は壁状の外周壁１４１が形成され、内側には、円形の窪み１２の孔壁を兼ねる内周壁１４３が形成され、その外周壁１４１および内周壁１４３を放射状にまたは縦横に連結する連結壁１４２が形成されている。また、摩擦減震装置３と同様に、内周壁１４３、外周壁１４１および連結壁１４２で区画された各々の空間の略中心よりも外側の位置の平板部１５には直径が２ｍｍφの第１の水抜き孔２３が貫設されている。さらに、摩擦減震装置１、摩擦減震装置２および摩擦減震装置３と同様に第１の滑り平板１０の表面には２本の横断溝３３が刻設されているとともに、先端が尖った複数の突起３２が突設されている。そして、第１の滑り平板１０の平板部１５の裏面は７５ｍｍφの平滑な面である第１の円形滑り面１１が形成されていて、その中心には、２３ｍｍφの円形の窪み１２が凸設されているが、その孔壁は内周壁１４３を兼ねている。
【００２７】
第２の滑り平板２０もまた、円盤状の平板であって、その厚さは３ｍｍとなっている。そして、第２の滑り平板２０の表面（第１の滑り平板１０側）は平滑な面となっていて、その中心部には円柱状の円柱突起２２が凸設されていて、前述した円形の窪み１２に遊嵌するようになっている。この円柱突起２２の直径は９ｍｍφであり、２３ｍｍφの円形の窪み１２の中に嵌合すると円柱突起２２の周りは７ｍｍの間隙が生ずることになり、この間隙が所定の遊び量に相当する。また、摩擦減震装置４でも円形の窪み１２に近接して上部が拡径した擂り鉢状で下部が細径の略１ｍｍφの第２の水抜き孔２４が貫設されている。さらに、第２の滑り平板２０の基礎５２側には先端が略平坦で凹凸のある粗面の表面突起３２が突設されているとともに、第１の滑り平板１０と重ね合わせたときに第１の滑り平板１０の表面に刻設された横断溝３１と対応する位置に２本の横断溝３１が刻設されていて、リング状のリングゴム３３を第１の滑り平板１０および第２の滑り平板２０のそれぞれの横断溝３１に嵌入して巻回させている。なお、摩擦減震装置４ではリング被包溝１３およびリング突条２５を具えていないが、具えることも可能であることは勿論である。
【００２８】
摩擦減震装置４については、摩擦減震装置２と厚さが異なるのみで作用や効果も略同様であるので、その説明を省略する。
【符号の説明】
【００２９】
１  実施例１に係る摩擦減震装置
２  実施例２に係る摩擦減震装置
３  実施例３に係る摩擦減震装置
４  実施例４に係る摩擦減震装置
１０  第１の滑り平板
１１  第１の円形滑り面
１２  円形の窪み
１３  リング被包溝
１４  厚さ調整部
１４１  外周壁
１４２  連絡壁
１４３  内周壁
１４４  平板蓋
１５  平板部
２０  第２の滑り平板
２１  第２の円形滑り面
２２  円柱突起
２３  第１の水抜き孔
２４  第２の水抜き孔
２５  リング突条
３２  表面突起
５１  土台
５２  基礎
５３  柱
【図１】
2019039290.tif 000003
【図２】
2019039290.tif 000004
【図３】
2019039290.tif 000005
【図４】
2019039290.tif 000006
【図５】
2019039290.tif 000007
【図６】
2019039290.tif 000008
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
木造建物の基礎および土台の間に介挿される重ね合わされた金属製の２枚の滑り平板から構成される摩擦減震装置であって、
前記摩擦減震装置は前記基礎および前記土台を緊結するアンカーボルトの立設箇所を除く位置で主に柱直下の位置に介挿されて、上段に位置し該土台に接触する第１の滑り平板および下段に位置し該基礎に接触する第２の滑り平板から構成され、該第１の滑り平板および該第２の滑り平板の中心部に位置して互いに密接する第１の円形滑り面および第２の円形滑り面は略同じ大きさの円形の平滑な面であり、該第１の滑り平板および該第２の滑り平板のうち少なくとも該第２の滑り平板はその中心部に貫設される直径が数ｍｍの第２の水抜き孔を除き貫通孔が無い略無孔状態である、ことを特徴とする木造建物の摩擦減震装置。
【請求項２】
前記第２の円形滑り面には該第２の円形滑り面と中心が同一で断面が略二等辺三角形または略等脚台形を呈する１つ以上のリング状のリング突条が凸設される一方、前記第１の円形滑り面には断面形状が下方向に広がる略等脚台形を呈し該リング突条を跨るように被包するリング状のリング被包溝が刻設され、
前記リング突条の前記第２の円形滑り面の中心からの距離は前記リング被包溝の前記第１の円形滑り面の中心からの距離と略同一であって、断面における該リング突条の斜辺は直線である一方、該リング被包溝の斜辺は略直線であり、該リング突条の斜辺の勾配は水平方向に対して略３％ないし６％であって、該リング被包溝の斜辺の勾配も略同一であるとともに、該リング突条の高さおよび該リング被包溝の深さは略同一である、ことを特徴とする請求項１に記載の木造建物の摩擦減震装置。
【請求項３】
前記第２の円形滑り面の中心部には円柱状で有蓋の円柱突起が凸設され、前記第１の円形滑り面の該円柱突起に対応する位置には該円柱突起を所定の遊び量で遊嵌し前記第１の滑り平板の前記第２の滑り平板に対する移動を許容する円形の窪みが刻設されている、ことを特徴とする請求項１または請求項２に記載の木造建物の摩擦減震装置。
【請求項４】
前記第１の滑り平板は下部に位置する平板部およびその上部にあって厚さを調整する厚さ調整部から形成され、
前記厚さ調整部は円柱形状であり、外周面が前記第２の円形滑り面の外周縁に略一致する外周壁と、中心部に形成される内周壁と、該外周壁および該内周壁間を連結する複数の連結壁からなり、該内周壁内の上端部は平板状の平板蓋で覆設されて閉ざされた空間が形成され、該外周壁の上端部および該平板蓋の表面は同一レベルであり、
前記平板部の裏面に前記第１の円形滑り面が形成されている、ことを特徴とする請求項１または請求項２に記載の木造建物の摩擦減震装置。
【請求項５】
前記外周壁、前記内周壁および前記連結壁で区画された各々の空間の前記平板部には前記リング被包溝に開口する第１の水抜き孔が貫設されている、ことを特徴とする請求項２に従属する請求項４に記載の木造建物の摩擦減震装置。
【請求項６】
前記第２の円形滑り面の中心部には円柱状で有蓋の円柱突起が凸設され、該円柱突起を所定の遊び量で遊嵌する円形の窪みは前記平板部を貫通して前記厚さ調整部の中心部に形成される内周壁で形成されて前記第１の滑り平板の前記第２の滑り平板に対する移動を許容し、前記連絡壁は前記外周壁および該内周壁を連結する、ことを特徴とする請求項４または請求項５に記載の木造建物の摩擦減震装置。
【請求項７】
前記所定の遊び量は前記リング被包溝の断面形状である等脚台形の上辺の幅の１／２以上の６ｍｍないし８ｍｍである、ことを特徴とする請求項２に従属する請求項３または請求項２に従属する請求項４に従属する請求項６に記載の木造建物の摩擦減震装置。
【請求項８】
前記第２の水抜き孔は前記円柱突起に近接して貫設されている、ことを特徴とする請求項３または請求項６に記載の木造建物の摩擦減震装置。
【請求項９】
前記第２の水抜き孔は上部が拡径した擂り鉢状で下部が細径である、ことを特徴とする請求項１ないし請求項８のいずれかに記載の木造建物の摩擦減震装置。
【請求項１０】
前記第１の滑り平板の前記土台に接する表面には先端が尖った複数の表面突起が突設され、前記第２の滑り平板の前記基礎に接する表面には先端が略平坦で凹凸のある粗面の複数の表面突起が突設されている、ことを特徴とする請求項１ないし請求項９のいずれかに記載の木造建物の摩擦減震装置。
【手続補正２】
【補正対象書類名】明細書
【補正対象項目名】０００８
【補正方法】変更
【補正の内容】
【０００８】
上記目的を達成するため、本願請求項１に係る木造建物の摩擦減震装置は、木造建物の基礎および土台の間に介挿される重ね合わされた金属製の２枚の滑り平板から構成される摩擦減震装置であって、前記摩擦減震装置は前記基礎および前記土台を緊結するアンカーボルトの立設箇所を除く位置で主に柱直下の位置に介挿されて、上段に位置し該土台に接触する第１の滑り平板および下段に位置し該基礎に接触する第２の滑り平板から構成され、該第１の滑り平板および該第２の滑り平板の中心部に位置して互いに密接する第１の円形滑り面および第２の円形滑り面は略同じ大きさの円形の平滑な面であり、該第１の滑り平板および該第２の滑り平板のうち少なくとも該第２の滑り平板はその中心部に貫設される直径が数ｍｍの第２の水抜き孔を除き貫通孔が無い略無孔状態である、ことを特徴としている。
また、本願請求項２に係る木造建物の摩擦減震装置は、請求項１に記載の木造建物の摩擦減震装置であって、前記第２の円形滑り面には該第２の円形滑り面と中心が同一で断面が略二等辺三角形または略等脚台形を呈する１つ以上のリング状のリング突条が凸設される一方、前記第１の円形滑り面には断面形状が下方向に広がる略等脚台形を呈し該リング突条を跨るように被包するリング状のリング被包溝が刻設され、前記リング突条の前記第２の円形滑り面の中心からの距離は前記リング被包溝の前記第１の円形滑り面の中心からの距離と略同一であって、断面における該リング突条の斜辺は直線である一方、該リング被包溝の斜辺は略直線であり、該リング突条の斜辺の勾配は水平方向に対して略３％ないし６％であって、該リング被包溝の斜辺の勾配も略同一であるとともに、該リング突条の高さおよび該リング被包溝の深さは略同一である、ことを特徴としている。
そして、本願請求項３係る木造建物の摩擦減震装置は、請求項１または請求項２に記載の木造建物の摩擦減震装置であって、前記第２の円形滑り面の中心部には円柱状で有蓋の円柱突起が凸設され、前記第１の円形滑り面の該円柱突起に対応する位置には該円柱突起を所定の遊び量で遊嵌し前記第１の滑り平板の前記第２の滑り平板に対する移動を許容する円形の窪みが刻設されている、ことを特徴としている。
なお、「円形の窪み」とは、第１の滑り平板および第２の滑り平板を重ね合わせたときに円柱突起がその内部に止まり第１の滑り平板の表面から突出することがない状態を意味していて、第１の滑り平板が薄板状である場合は「円形の孔」となる場合もある。また、「所定の遊び量」とは、円形の窪みの半径から円柱突起の半径を差し引いた値（量）を云う。
さらに、本願請求項４に係る木造建物の摩擦減震装置は、請求項１または請求項２に記載の木造建物の摩擦減震装置であって、前記第１の滑り平板は下部に位置する平板部およびその上部にあって厚さを調整する厚さ調整部から形成され、前記厚さ調整部は円柱形状であり、外周面が前記第２の円形滑り面の外周縁に略一致する外周壁と、中心部に形成される内周壁と、該外周壁および該内周壁間を連結する複数の連結壁からなり、該内周壁内の上端部は平板状の平板蓋で覆設されて閉ざされた空間が形成され、該外周壁の上端部および該平板蓋の表面は同一レベルであり、前記平板部の裏面に前記第１の円形滑り面が形成されている、ことを特徴としている。
また、本願請求項５に係る木造建物の摩擦減震装置は、請求項２に従属する請求項４に記載の木造建物の摩擦減震装置であって、前記外周壁、前記内周壁および前記連結壁で区画された各々の空間の前記平板部には前記リング被包溝に開口する第１の水抜き孔が貫設されている、ことを特徴としている。
そして、本願請求項６に係る木造建物の摩擦減震装置は、請求項４または請求項５に記載の木造建物の摩擦減震装置であって、前記第２の円形滑り面の中心部には円柱状で有蓋の円柱突起が凸設され、該円柱突起を所定の遊び量で遊嵌する円形の窪みは前記平板部を貫通して前記厚さ調整部の中心部に形成される内周壁で形成されて前記第１の滑り平板の前記第２の滑り平板に対する移動を許容し、前記連絡壁は前記外周壁および該内周壁を連結する、ことを特徴としている。
さらに、本願請求項７に係る木造建物の摩擦減震装置は、請求項２に従属する請求項３または請求項２に従属する請求項４に従属する請求項６に記載の木造建物の摩擦減震装置であって、前記所定の遊び量は前記リング被包溝の断面形状である等脚台形の上辺の幅の１／２以上の６ｍｍないし８ｍｍである、ことを特徴としている。
また、本願請求項８に係る木造建物の摩擦減震装置は、請求項３または請求項６に記載の木造建物の摩擦減震装置であって、前記第２の水抜き孔は前記円柱突起に近接して貫設されている、ことを特徴としている。
そして、本願請求項９に係る木造建物の摩擦減震装置は、請求項１ないし請求項８のいずれかに記載の木造建物の摩擦減震装置であって、前記第２の水抜き孔は上部が拡径した擂り鉢状で下部が細径である、ことを特徴としている。
さらに、本願請求項１０に係る木造建物の摩擦減震装置は、請求項１ないし請求項９のいずれかに記載の木造建物の摩擦減震装置であって、前記第１の滑り平板の前記土台に接する表面には先端が尖った複数の表面突起が突設され、前記第２の滑り平板の前記基礎に接する表面には先端が略平坦で凹凸のある粗面の複数の表面突起が突設されている、ことを特徴としている。
【手続補正３】
【補正対象書類名】明細書
【補正対象項目名】０００９
【補正方法】変更
【補正の内容】
【０００９】
本願発明は以下の効果を奏する。
（１）摩擦減震装置がアンカーボルトの立設箇所を除いた位置に介挿されることから、仮に摩擦減震装置を取り付ける作業員が誤って上下を間違えた場合や後日、摩擦減震装置のメンテナンスや交換あるいは改築工事などによる摩擦減震装置の取り付けが必要となった場合であっても、数ｍｍ程度土台を持ち上げれば摩擦減震装置を取り出したり挿入したりすることができるので、その作業は容易である。また、主に柱直下の位置に摩擦減震装置を介挿することで、木造建物の荷重は殆どすべて直接的に摩擦減震装置に作用することになり、土台に曲げが生じないし、力学的に合理的な位置に配することになることから、アンカーボルトに挿設するよりも実質的に設置箇所数を減らすことができる。なお、「主に柱直下の位置」としたのは、柱間隔が広く納戸や書斎等のような大きな積載荷重が作用する柱直下以外の箇所にも摩擦減震装置を設置して、土台に作用する曲げを軽減させる場合を想定しているからである。
（２）第１の滑り平板および第２の滑り平板のうち少なくとも第２の滑り平板の中心部を略無孔とすることにより、基礎の表面の水分や汚れ成分が円形滑り面に入り込むことを防止できるため、円形滑り面同士の摩擦力の低下を防ぐとともに円形滑り面の損傷を防ぐことができる。また、円形滑り面同士の中心部の接触面積が増加することにより、後述するリング被包溝の溝幅を大きくすることができる。なお、「略無孔」とは、平板間の摩擦力に殆ど影響を及ぼさない直径が数ｍｍ程度の貫通孔は許容することを意味していて、具体的には、第２の滑り平板についてはその中心部に貫設される直径が数ｍｍの第２の水抜き孔を除き貫通孔が無い略無孔の状態をいう。
（３）第２の円形滑り面に略二等辺三角形または略等脚台形の断面形状のリング突条が凸設され、そのリング突条を被包するリング被包溝が第１の円形滑り面に刻設されているため、地震時にはまず、第１の滑り平板と第２の滑り平板の滑り面相互で滑りが生じ、その後にリング突条およびリング被包溝の斜面（断面における斜辺）同士が接触してリング突条にリング被包溝が乗り上がるようになる。すなわち、リング突条およびリング被包溝の斜面同士が接触した後は第１の滑り平板は第２の滑り平板に対して持ち上がった状態となり、柱直下の荷重による摩擦力が増大する。また、リング突条の斜辺の勾配はリング被包溝の斜辺の勾配と略同一であるため、斜面同士は面接触することになってお互いに傷つけることがない。
（４）円形の窪みが円柱突起を所定の遊び量で遊嵌している場合は、地震時に第２の滑り平板に対する第１の滑り平板のズレを許容して滑り平板相互の損壊を防止するとともに、主に施工時において第２の滑り平板から第１の滑り平板が外れることを防止する。
（５）第１の滑り平板が厚さ調整部を有する場合には、厚さ調整部の高さを調整することで、略５．５ｍｍないし２０ｍｍの高さの摩擦減震装置が提供できるため、床下空間が密閉型や換気型等のあらゆる木造住宅に適用できる。また、厚さ調整部の上部には平板蓋を有しているので、有していない場合と比べると、第１の滑り平板の剛性が増して、第１の滑り平板に作用する剪断力に対抗することができるとともに、木製の土台との接触面積が増えて沈み応力の小さな木材には有利に働くことになる。
（６）外周壁、内周壁および連結壁で区画された各々の空間の平板部にリング被包溝に開口する第１の水抜き孔を貫設することにより、各々の空間内に溜まった結露水等が排出され易くなる。
（７）円形の窪みに対する円柱突起の移動を許容する遊び量をリング被包溝の断面形状である等脚台形の上辺の幅の１／２以上の値とすることにより、リング突条およびリング被包溝の斜面同士が接触する前に、円形の窪みの壁面に円柱突起が衝突することがなくなるため、前述した（３）の効果を有効に奏することができる。
（８）第２の円形滑り面の中心部または円柱突起に近接した円形滑り面に上部が拡径した擂り鉢状で下部が細径である第２の水抜き孔を貫設することにより、第２の滑り平板の表面や裏面にある微量の結露水等を擂り鉢内に溜めることができるため、湿気等を排除することができる。
（９）第１の滑り平板の土台に接する表面に先端が尖った複数の表面突起を突設し、第２の滑り平板の基礎に接する表面には先端が略平坦で凹凸のある粗面の複数の表面突起を突設していることにより、土台側では、第１の滑り平板の表面と土台が密着して土台自体の損傷を防ぎ、基礎側では、凹凸のある部分のみが基礎に食い込む結果、第２の滑り平板の表面と基礎面との間の滑りを防止することができるとともに、第２の滑り平板と基礎との間にできた間隙により湿気を防止することができる。